(57)【特許請求の範囲】
【請求項１】
金属シートの両面に活物質層を形成した正極シート及び負極シートがセパレータを介した状態で層状をなす電極体であって、
前記正極シート及び前記負極シートの金属シートには、複数の貫通孔が形成されており、
前記正極シート及び前記負極シートの金属シートにおいて、前記両面のうち一方の面のみ、前記貫通孔の周縁に突起部を形成した突起形成面とされ、
前記正極シート及び前記負極シートは、前記突起形成面が積層方向において同一方向を向いた状態で層状をなし、
前記正極シート及び前記負極シートは、捲回されて層状をなしており、前記突起形成面は径方向の外側を向いていることを特徴とする電極体。
【請求項２】
前記貫通孔は、前記正極シート及び前記負極シートが捲回される捲回軸線の延びる方向に沿って延びるように長孔状に形成されていることを特徴とする請求項１に記載の電極体。
【請求項３】
前記突起部は、前記貫通孔を囲う環状に形成されていることを特徴とする請求項１または２に記載の電極体。
【請求項４】
前記突起部の先端部は、平坦に形成されていることを特徴とする請求項１〜３のいずれか１項に記載の電極体。
【請求項５】
請求項１〜４のいずれか１項に記載の電極体を備えたことを特徴とする二次電池。
【請求項６】
請求項５に記載の二次電池を搭載したことを特徴とする車両。
【発明の詳細な説明】
【技術分野】
【０００１】
本発明は、金属シートの両面に活物質層を形成した正極シート及び負極シートがセパレータを介した状態で層状をなす電極体、電極体を備えた二次電池、及び二次電池を搭載した車両に関する。
【背景技術】
【０００２】
従来から、電池としては、リチウムイオン二次電池やニッケル水素二次電池などが知られている。例えば、リチウムイオン二次電池は、金属シート（アルミニウム箔や銅箔）に活物質層を形成した複数の電極シート（正極シート及び負極シート）を積層、又は捲回することで前記電極シートが層状をなす電極体を形成し、この電極体をケースに収納した構成とされている。
【０００３】
そして、従来の電池の中には、金属シートに複数の孔部を形成することで活物質と金属シートとの密着性や、孔部に充填される分だけ単位面積あたりの活物質量を高めたものが提案されている（例えば特許文献１）。また、特許文献１の電池では、各孔部の周囲（縁部）を盛り上げるように突起部を形成することにより、活物質の密着性をさらに高めている。
【先行技術文献】
【特許文献】
【０００４】
【特許文献１】特開２００１−１５５１１７号公報
【発明の概要】
【発明が解決しようとする課題】
【０００５】
しかしながら、特許文献１の電池では、金属シートの両面に対して孔部の周囲に突起部を形成しているため、セパレータを介在させた状態で複数の電極シートを捲回したり、積層したりした場合には、電極シートの間において突起部の先端部同士が対向するように配置され得る。このため、特許文献１の電池では、セパレータが突起部の先端部同士の間に介在される結果、例えば電極シートを捲回又は積層する作業時や、使用時などにおいて、セパレータの一部に負荷が集中してしまう虞がある。
【０００６】
この発明は、上記従来技術に存在する問題点に着目してなされたものであり、その目的は、金属シートに設けた貫通孔の周縁に突起部を設けることで活物質の密着性、及び単位面積あたりの活物質量を向上させつつ、セパレータの一部に負荷が集中してしまうことを抑制できる電極体、二次電池、及び車両を提供することにある。
【課題を解決するための手段】
【０００７】
上記課題を解決するために、請求項１に記載の発明は、金属シートの両面に活物質層を形成した正極シート及び負極シートがセパレータを介した状態で層状をなす電極体であって、前記正極シート及び前記負極シートの金属シートには、複数の貫通孔が形成されており、前記正極シート及び前記負極シートの金属シートにおいて、前記両面のうち一方の面のみ、前記貫通孔の周縁に突起部を形成した突起形成面とされ、前記正極シート及び前記負極シートは、前記突起形成面が積層方向において同一方向を向いた状態で層状をなしていることを要旨とする。
【０００８】
これによれば、正極シート及び負極シートの金属シートには、複数の貫通孔が形成されているとともに、金属シートの一方の面のみが、貫通孔の周縁に突起部を形成した突起形成面とされている。このため、活物質の密着性、及び単位面積あたりの活物質量を向上させることができる。そして、正極シート及び負極シートは、突起形成面が積層方向において同一方向を向いた状態で層状をなしている。このため、金属シートの両面に突起部を形成した場合のように、突起部の先端部同士が対向するように配置されることがなく、セパレータの一部に負荷が集中してしまうことを抑制することができる。
【０００９】
また、請求項１に記載の発明は、前記正極シート及び前記負極シートは、捲回されて層状をなしており、前記突起形成面は径方向の外側を向いていることを要旨とする。
【００１０】
これによれば、正極シート及び負極シートは、捲回されて層状をなしているとともに、突起形成面は径方向の外側を向いた状態とされている。このため、金属シートの両面に突起部を形成した場合と比較して、金属シートの剛性が高くなってしまうことを抑制できる。したがって、容易に正極シート及び負極シートを捲回して電極体を形成することができる。
請求項２に記載の発明は、請求項１に記載の電極体において、前記貫通孔は、前記正極シート及び前記負極シートが捲回される捲回軸線の延びる方向に沿って延びるように長孔状に形成されていることを要旨とする。
【００１１】
請求項３に記載の発明は、請求項１または２に記載の電極体において、前記突起部は、前記貫通孔を囲う環状に形成されていることを要旨とする。これによれば、突起部が貫通孔を囲う環状に形成されていることから、活物質と金属シートとの密着性をさらに向上させることができる。
【００１２】
請求項４に記載の発明は、請求項１〜３のいずれか１項に記載の電極体において、前記突起部の先端部は、平坦に形成されていることを要旨とする。これによれば、突起部の先端面が平坦に形成されていることから、セパレータの一部に負荷が集中してしまうことをさらに抑制できる。
【００１３】
請求項５に記載の発明は、二次電池において、請求項１〜４のいずれか１項に記載の電極体を備えたことを要旨とする。これによれば、活物質の密着性、及び単位面積あたりの活物質量を向上させつつ、セパレータの一部に負荷が集中してしまうことを抑制できる。このため、二次電池の小型化や高容量化を図りつつ、使用中における振動などによって二次電池の性能が低下することを抑制できる。
【００１４】
請求項６に記載の発明は、車両において、請求項５に記載の二次電池を搭載したことを要旨とする。これによれば、活物質の密着性、及び単位面積あたりの活物質量を向上させつつ、セパレータの一部に負荷が集中してしまうことを抑制できる。このため、二次電池の小型化や高容量化を図りつつ、使用中における振動などによって二次電池の性能が低下することを抑制し、二次電池の交換サイクルが短くなってしまうことを抑制できる。
【発明の効果】
【００１５】
本発明によれば、金属シートに設けた貫通孔の周縁に突起部を設けることで活物質の密着性、及び単位面積あたりの活物質量を向上させつつ、セパレータの一部に負荷が集中してしまうことを抑制できる。
【図面の簡単な説明】
【００１６】
【図１】リチウムイオン二次電池を模式的に示す斜視図。
【図２】電極体を模式的に示す分解斜視図。
【図３】正電極シート（負電極シート）を模式的に示す斜視図。
【図４】図１のＡ−Ａ線断面図。
【図５】別の実施形態におけるリチウムイオン二次電池を模式的に示す斜視図。
【図６】別の実施形態における電極体を模式的に示す斜視図。
【発明を実施するための形態】
【００１７】
以下、本発明を具体化した一実施形態を図１〜図４にしたがって説明する。
図１に示すように、車両（例えば産業車両や乗用車両）に搭載される二次電池としてのリチウムイオン二次電池（以下、単に「二次電池」と示す）１０は、全体として扁平な略立方体状をなすケース１１を備えている。ケース１１は、有底筒状（本実施形態では四角筒状）に形成された本体部材１２、及び本体部材１２の開口部１２ａを覆う（密閉する）ように、本体部材１２に組み付けられる平板状（本実施形態では矩形平板状）をなす蓋部材１３から形成されている。本体部材１２、及び蓋部材１３は、何れも金属（例えばステンレスやアルミニウムなど）から形成されている。以下、説明の便宜のため、図１で矢印Ｙ１に示すケース１１の長手方向を左右方向と示し、矢印Ｙ２で示すケース１１の短手方向（厚さ方向）を前後方向と示し、矢印Ｙ３に示すケース１１の高さ方向を上下方向と示す。
【００１８】
蓋部材１３には、蓋部材１３の上面から円柱状（略円柱状）をなす正極端子１５及び負極端子１６が上方に向かって突出するように設けられている。また、蓋部材１３の下面（内面）には、金属（例えばアルミニウム）からなり、正極端子１５と電気的に接続された集電端子１７の基端（一端）が固定されている。また、蓋部材１３の下面（内面）には、金属（例えば銅）からなり、負極端子１６と電気的に接続された集電端子１８の基端（一端）が固定されている。
【００１９】
また、ケース１１には、金属シートの両面に活物質層を形成した複数の電極シートがセパレータを介した状態で層状をなす電極体２１が収納されている。図２に示すように、電極体２１は、セパレータ２３を介在させた状態で、長尺の矩形シート状をなす正極シートとしての正電極シート２４、及び長尺の矩形シート状をなす負極シートとしての負電極シート２５を渦まき状に捲回することにより、正電極シート２４及び負電極シート２５が層状をなすように形成されている。また、セパレータ２３は、絶縁性を有する樹脂材料（例えばポリエチレンなど）からなる矩形の多孔性シートとされている。本実施形態では、矢印Ｙ３に示す上下方向が、正電極シート２４及び負電極シート２５の捲回軸線の延びる方向となる。なお、本実施形態では、電極体２１の最内周面及び最外周面にもセパレータ２３が配置されている。
【００２０】
ここで、正電極シート２４、及び負電極シート２５について図２及び図３にしたがって詳しく説明する。
図２に示すように、正電極シート２４は、矩形（略矩形）の長尺シート状（帯状）をなす金属シートとしての金属箔２４ａ（例えばアルミニウム箔）を備えている一方で、負電極シート２５は、略矩形の長尺シート状（帯状）をなす金属シートとしての金属箔２５ａ（例えば銅箔）を備えている。各金属箔２４ａ，２５ａの厚さは、例えば１０μｍ〜５０μｍであり、好ましくは１５μｍ〜２５μｍである。以下の説明では、正電極シート２４及び負電極シート２５が捲回された状態（電極体２１）において、各金属箔２４ａ，２５ａのうち、捲回軸線の延びる方向と直交する方向（積層方向）の外側に配置される面を外側面Ｍ１と示し、内側に配置される面を内側面Ｍ２と示す。
【００２１】
金属箔２４ａの両面（外側面Ｍ１及び内側面Ｍ２）には、金属箔２４ａの長さ方向の全体にわたって上端部（縁部）Ｅから所定幅で設定された非塗布領域２７を除き、その全面に正極用の活物質が塗布され、活物質層２６が形成されている。同様に、金属箔２５ａの両面（外側面Ｍ１及び内側面Ｍ２）には、金属箔２５ａの長さ方向の全体にわたって上端部（縁部）Ｅから所定幅で設定された非塗布領域２７を除き、その全面に負極用の活物質が塗布され、活物質層２６が形成されている。活物質層２６の厚さは、例えば２０〜９０μｍであり、好ましくは２０〜４０μｍである。このため、非塗布領域２７は、正電極シート２４、及び負電極シート２５において、各金属箔２４ａ，２５ａの長さ方向に沿って延びるようにそれぞれ設けられている。
【００２２】
そして、図３に示すように、正電極シート２４の金属箔２４ａには、パンチング加工により、複数の貫通孔としての孔部３０が金属箔２４ａの両面（外側面Ｍ１及び内側面Ｍ２）を連通するように形成されている。なお、図３では、活物質層２６の図示が部分的に省略されている。本実施形態の孔部３０は、正電極シート２４の外側面Ｍ１を正面から見た場合に円形をなすパンチング孔とされている。また、孔部３０は、正電極シート２４（金属箔２４ａ）において非塗布領域２７の全面に千鳥配置となるように形成されている。なお、本実施形態の金属箔２４ａには、孔部３０が金属箔２４ａの縁部に重ならないように形成されている。金属箔２４ａにおける開孔率は、例えば２０％〜４５％であり、好ましくは２５％〜４０％である。
【００２３】
そして、金属箔２４ａの外側面Ｍ１において、各孔部３０の周縁（周囲）には、孔部３０を囲うように環状をなす突起部としての壁部３１が設けられている。本実施形態の壁部３１は、孔部３０の縁部に沿って連続する円環状をなしているとともに、その先端部３１ａは、外側面Ｍ１と平行（略平行）をなす平坦な面に形成されている。金属箔２４ａの外側面Ｍ１から先端部３１ａまでの距離（壁部３１の高さ）は、金属箔２４ａの厚さの例えば５％〜５０％の厚さであり、好ましくは５％〜１０％の厚さである。なお、本実施形態の壁部３１は、何れも同一の高さに形成されている。また、壁部３１の高さは、活物質層２６の厚さ未満の高さに設定するようにする。このため、本実施形態の壁部３１は、その全体が活物質層２６に埋設（埋没）されている。なお、各壁部３１は、金属箔２４ａよりも薄く形成されている。
【００２４】
また、本実施形態の正電極シート２４では、孔部３０及び壁部３１の内部にも活物質が充填されており、外側面Ｍ１に形成された活物質層２６と、内側面Ｍ２に形成された活物質層２６とは、各孔部３０を介して一体となっている。また、金属箔２４ａの内側面Ｍ２には、壁部３１が設けられていない。
【００２５】
本実施形態において、負電極シート２５（金属箔２５ａ）は、上述した正電極シート２４（金属箔２４ａ）と同一構成であるので、詳しい説明を省略する。したがって、本実施形態では、正電極シート２４の金属箔２４ａ、及び負電極シート２５の金属箔２５ａにおいて、両面（外側面Ｍ１及び内側面Ｍ２）のうちの一方となる外側面Ｍ１が孔部３０の周囲を囲うように壁部３１を形成した突起形成面となる一方で、他方の内側面Ｍ２が壁部３１を設けていない突起非形成面となる。即ち、正電極シート２４の金属箔２４ａ、及び負電極シート２５の金属箔２５ａにおいては、両面のうち一方の面（外側面Ｍ１）のみ、孔部３０の周縁に壁部３１を形成した突起形成面とされている。
【００２６】
そして、図４に示すように、電極体２１では、正電極シート２４及び負電極シート２５が、壁部３１を設けた外側面Ｍ１を捲回軸線の延びる方向と直交する方向の外側に配置するように捲回されている。即ち、正電極シート２４及び負電極シート２５は、捲回されて層状をなしており、外側面Ｍ１（突起形成面）は径方向の外側を向いている。
【００２７】
なお、図４では、一部の正電極シート２４及び負電極シート２５のみを図示しているが、実際には正電極シート２４及び負電極シート２５がさらに多層にわたって層状をなしている。したがって、本実施形態の電極体２１において、正電極シート２４及び負電極シート２５は、外側面Ｍ１を全て同一方向側に配置した状態で層状をなしている。換言すれば、正電極シート２４及び負電極シート２５は、外側面Ｍ１（突起形成面）が積層方向において同一方向を向いた状態で層状をなしている。
【００２８】
また、図２に示すように、正電極シート２４には、上端部Ｅ側に設定された非塗布領域２７を、所定の間隔（ピッチ）で長さ方向に切り欠くことにより、略矩形（矩形）をなす複数の正電極タブ２４ｂが上方に向かって延出するように形成されている。同様に、負電極シート２５には、上端部Ｅ側に設定された非塗布領域２７を、所定の間隔（ピッチ）で長さ方向に切り欠くことにより、略矩形（矩形）をなす複数の負電極タブ２５ｂが上方に向かって延出するように形成されている。正電極タブ２４ｂの間隔は、正電極シート２４及び負電極シート２５を捲回して電極体２１を形成する場合に、正電極タブ２４ｂが捲回軸線の延びる方向と直交する方向において整合一致（略一致）させた状態で積層される間隔に設定されている。同様に、負電極タブ２５ｂの間隔は、正電極シート２４及び負電極シート２５を捲回して電極体２１を形成する場合に、負電極タブ２５ｂが捲回軸線の延びる方向と直交する方向において整合一致（略一致）させた状態で積層される間隔に設定されている。
【００２９】
そして、電極体２１は、正電極タブ２４ｂ及び負電極タブ２５ｂが正電極シート２４及び負電極シート２５の長さ方向において交互に配置されるように、セパレータ２３を介して正電極シート２４及び負電極シート２５を重ね合わせ、これを捲回して形成されている。このため、図１に示すように、電極体２１の左上端部には、正電極シート２４の正電極タブ２４ｂが積層された正電極タブ群２８が形成されている一方で、電極体２１の右上端部には、負電極シート２５の負電極タブ２５ｂが積層された負電極タブ群２９が形成されている。
【００３０】
また、正電極タブ群２８（正電極タブ２４ｂ）は、正電極タブ２４ｂの間に上方から挿入するように配置された集電端子１７の先端（他端）に対して、前後方向から寄り合わされた（寄せ集められた）状態で、例えば超音波接合やスポット接合（抵抗溶接）などによって接合され、電気的に接続されている。同様に、負電極タブ群２９（負電極タブ２５ｂ）は、負電極タブ２５ｂの間に上方から挿入するように配置された集電端子１８の先端（他端）に対して、前後方向から寄り合わされた（寄せ集められた）状態で、例えば超音波接合やスポット接合（比抵抗溶接）などによって接合され、電気的に接続されている。そして、ケース１１の内部には、液体状やゲル状の図示しない電解質が充填され、満たされている。
【００３１】
次に、上記のように構成した二次電池１０（電極体２１）の作用について説明する。
図４に示すように、各金属箔２４ａ，２５ａには、複数の孔部３０が形成されているとともに、各孔部３０の内部には、活物質が充填されている。したがって、孔部３０を設けていない構成と比較して、電極体２１における単位面積あたりの活物質量を多くすることができる。また、各金属箔２４ａ，２５ａの外側面Ｍ１には、各孔部３０の周囲を囲うように壁部３１を設けている。このため、電極体２１において、各金属箔２４ａ，２５ａと活物質層２６との密着性を向上させることができる。
【００３２】
そして、電極体２１において、正電極シート２４及び負電極シート２５は、壁部３１が形成された外側面Ｍ１を同一方向側（本実施形態では、電極体２１の捲回軸線の延びる方向に直交する方向の外側）に配置した状態で層状をなしている。このため、電極体２１では、壁部３１が形成された外側面Ｍ１は、必ず壁部３１が形成されていない内側面Ｍ２と対向して配置されるようになっており、外側面Ｍ１同士が対向しないようになっている。即ち、本実施形態の電極体２１では、壁部３１の先端部３１ａと、壁部３１の先端部３１ａとの間にセパレータ２３が介挿されることがない。
【００３３】
したがって、正電極シート２４及び負電極シート２５を捲回する作業時や、電極体２１を備えた二次電池１０の使用時において、セパレータ２３に局所的に負荷（応力）が付与されることが抑制される。そして、本実施形態の二次電池１０では、小型化や高容量化を図りつつ、使用中における振動などによって二次電池１０の性能が低下することを抑制できる。
【００３４】
次に、二次電池１０（電極体２１）の製造方法について、その作用とともに説明する。
最初に各金属箔２４ａ，２５ａの製造方法について説明する。まず、パンチング加工により、各金属箔２４ａ，２５ａに孔部３０を形成する。このとき、パンチング加工に用いる雄型（ダイ）と雌型（パンチ）との間に隙間（クリアランス）を設けておき、パンチング加工と同時に壁部３１を形成する。その後、各金属箔２４ａ，２５ａに形成した壁部３１の先端部３１ａを、研磨などにより平坦に形成するとともに、同一高さに調節する。
【００３５】
次に、各金属箔２４ａ，２５ａの外側面Ｍ１及び内側面Ｍ２に対して厚みが例えば６０μｍ〜７０μｍとなるように、活物質を含む溶液を塗布し、活物質層２６を形成する。このとき、各金属箔２４ａ，２５ａにおける長さ方向の全体にわたって、各金属箔２４ａ，２５ａの上端部Ｅから所定幅で活物質を塗布しないようにすることで、非塗布領域２７を設ける。
【００３６】
そして、ロール等により全厚で２０μｍ〜１００μｍの所定の厚さにプレスした後、正電極シート２４を打ち抜き加工し、正電極シート２４及び負電極シート２５を捲回して電極体２１を形成する場合に、正電極タブ２４ｂが捲回軸線の延びる方向と直交する方向において整合一致（略一致）させた状態で積層されるように設定した間隔（ピッチ）で正電極タブ２４ｂを形成する。同様に、負電極シート２５を打ち抜き加工し、捲回して電極体２１を形成する場合に、負電極タブ２５ｂが捲回軸線の延びる方向と直交する方向において整合一致（略一致）させた状態で積層されるように設定した間隔（ピッチ）で負電極タブ２５ｂを形成する。
【００３７】
次に、別の工程で得られたセパレータ２３、正電極シート２４、前記セパレータ２３、及び負電極シート２５の順で重ね合わせつつ所定の軸線（捲回軸線）まわりで渦まき状に捲回し、さらに前後方向からプレス（圧縮）することで扁平な形状に成形して電極体２１を得る。このとき、正電極シート２４及び負電極シート２５は、正電極タブ２４ｂ及び負電極タブ２５ｂが、長さ方向で交互に配置されるように重ね合わせる。これにより、電極体２１の左上端部には正電極タブ群２８が形成される一方で、電極体２１の右上端部には負電極タブ群２９が形成される。
【００３８】
また、このとき、正電極シート２４及び負電極シート２５は、壁部３１を形成した外側面Ｍ１が捲回軸線の延びる方向と直交する方向の外側に配置されるように捲回する。本実施形態において、正電極シート２４及び負電極シート２５では、外側面Ｍ１に壁部３１を形成する一方で、内側面Ｍ２には壁部３１を形成していない。このため、正電極シート２４及び負電極シート２５を捲回する際に、セパレータ２３に局所的に負荷が付与されることを抑制できる。また、本実施形態では、外側面Ｍ１及び内側面Ｍ２に壁部３１を形成する場合と比較して、各金属箔２４ａ，２５ａの剛性が高くなることが抑制され、容易に捲回することができる。
【００３９】
次に、電極体２１の正電極タブ群２８（正電極タブ２４ｂ）には、集電端子１７が接合されて電気的に接続されるとともに、この集電端子１７には、正極端子１５が電気的に接続される。また、電極体２１の負電極タブ群２９（負電極タブ２５ｂ）には、集電端子１８が電気的に接続されるとともに、この集電端子１８には、負極端子１６が電気的に接続される。続けて、電極体２１を本体部材１２に収納するとともに、この本体部材１２には、正極端子１５及び負極端子１６を上面から突出させつつ蓋部材１３が組み付けられる。そして、最終的に電解質が充填されて二次電池１０が完成される。
【００４０】
したがって、上記実施形態によれば、以下のような効果を得ることができる。
（１）正電極シート２４の正電極タブ２４ｂ、及び負電極シート２５の負電極タブ２５ｂには、複数の孔部３０が形成されているとともに、各金属箔２４ａ，２５ａの一方の面のみが、孔部３０の周縁に壁部３１を形成した外側面Ｍ１とされている。このため、活物質の密着性、及び単位面積あたりの活物質量を向上させることができる。そして、正電極シート２４及び負電極シート２５は、外側面Ｍ１が積層方向において同一方向を向いた状態で層状をなしている。このため、各金属箔２４ａ，２５ａの両面に壁部３１を形成した場合のように、壁部３１の先端部３１ａ同士が対向するように配置されることがなく、セパレータ２３の一部に負荷が集中してしまうことを抑制することができる。
【００４１】
（２）正電極シート２４及び負電極シート２５は、捲回されて層状をなしているとともに、外側面Ｍ１（突起形成面）は径方向の外側を向いた状態とされている。このため、各金属箔２４ａ，２５ａの両面に壁部３１を形成した場合と比較して、各金属箔２４ａ，２５ａの剛性が高くなってしまうことを抑制できる。したがって、容易に正電極シート２４及び負電極シート２５を捲回して電極体２１を形成することができる。
【００４２】
（３）壁部３１は孔部３０を囲う環状に形成されていることから、活物質層２６（活物質）と各金属箔２４ａ，２５ａとの密着性をさらに向上させることができる。
（４）壁部３１の先端部３１ａが平坦に形成されていることから、セパレータ２３の一部に負荷が集中してしまうことをさらに抑制できる。
【００４３】
（５）また、本実施形態の二次電池１０では、活物質の密着性、及び単位面積あたりの活物質量を向上させつつ、セパレータ２３の一部に負荷が集中してしまうことを抑制できる。このため、二次電池１０の小型化や高容量化を図りつつ、使用中における振動などによって二次電池１０の性能が低下することを抑制できる。
【００４４】
実施形態は上記のように限定されるものではなく、例えば以下のように具体化してもよい。
○  図５及び図６に示すように、電極体２１は、矩形のシート状をなす正電極シート２４、及び同じく矩形のシート状をなす負電極シート２５を、セパレータ２３を介在させた状態で前後方向（正電極シート２４及び負電極シート２５の厚さ方向）に積層して形成してもよい。この場合、図６に示すように、各金属箔２４ａ，２５ａの両面（前面Ｍ３及び後面Ｍ４）には、各金属箔２４ａ，２５ａにおける左右方向の全幅にわたって上端部Ｅから所定幅で設定された非塗布領域２７を除き、その全面に活物質を塗布して活物質層２６を形成する。また、各正電極シート２４における金属箔２４ａの左上端部には、上方に向かって矩形の正電極タブ２４ｂを延出するように設ける一方で、各負電極シート２５における金属箔２５ａの右上端部には、上方に向かって矩形の負電極タブ２５ｂを延出するように設ける。このため、図５に示すように、電極体２１の左上端部には正電極タブ群２８が形成され、電極体２１の右上端部には負電極タブ群２９が形成される。
【００４５】
そして、図６に示すように、各金属箔２４ａ，２５ａにおける両面のうち、前面Ｍ３（前方向側の面）のみ、孔部３０の周縁に壁部３１を設ける一方で、後面Ｍ４には壁部３１を設けないようにする。このように構成しても、各金属箔２４ａ，２５ａの両面に壁部３１を形成した場合のように、壁部３１の先端部３１ａ同士が対向するように配置されることがなく、セパレータ２３の一部に負荷が集中してしまうことを抑制することができる。
【００４６】
○  孔部３０は、各金属箔２４ａ，２５ａの外側面Ｍ１を正面から見た場合に楕円形や矩形、あるいは長孔状をなす貫通孔としてもよい。なお、孔部３０を長孔状に形成する場合には、捲回軸線の延びる方向（正電極シート２４及び負電極シート２５の幅方向）に沿って延びるように形成してもよい。これによれば、正電極シート２４及び負電極シート２５を捲回する際に、より容易に捲回できる。
【００４７】
○  孔部３０は、切削などのパンチング以外の方法により形成されていてもよい。
○  壁部３１は、孔部３０の形状に対応させて、各金属箔２４ａ，２５ａの外側面Ｍ１を正面から見た場合に楕円形や矩形をなすように形成してもよい。また、壁部３１は、孔部３０の周縁（周囲）に形成されておればよく、例えば円弧状や、柱状をなす複数の突起部としてもよい。
【００４８】
○  各金属箔２４ａ，２５ａは、孔部３０及び壁部３１が外側面Ｍ１（突起形成面）側、又は内側面Ｍ２（突起非形成面）側に突出するように押出し加工されていてもよい。
○  先端部３１ａは、各金属箔２４ａ，２５ａ（外側面Ｍ１や前面Ｍ３）と平行をなしていなくてもよい。また、先端部３１ａは、平坦に形成されていなくてもよい。
【００４９】
○  一部の壁部３１の高さを他の壁部３１の高さと異ならせてもよく、壁部３１毎に高さを異ならせてもよい。
○  孔部３０は、各金属箔２４ａ，２５ａの一部に形成するだけでもよく、また非塗布領域２７にも形成されていてもよい。
【００５０】
○  正電極タブ２４ｂ及び負電極タブ２５ｂの形状は適宜変更してもよい。例えば、正電極タブ２４ｂを電極体２１の上端（一端）側に、負電極タブ２５ｂを電極体２１の下端（他端）側に延出するように設けるのであれば、電極体２１の左右方向における全幅にわたって設けてもよい。
【００５１】
○  電極体２１を構成する正電極シート２４、及び負電極シート２５の数は適宜変更してもよい。例えば、電極シート２４，２５をそれぞれ１つ備えた電極体２１としてもよい。
【００５２】
○  電極体２１は、セパレータ２３を介在させて、電極シート２４，２５を蛇腹状に折り曲げて積層してもよい。
○  電極体２１は、正電極タブ２４ｂ及び負電極タブ２５ｂが左右方向の外側に向かって延出されるようにケース１１に収納されていてもよい。
【００５３】
○  ケース１１の形状は、円柱状や、左右方向に扁平な楕円柱状に形成してもよい。
○  二次電池１０は、ニッケル水素二次電池として具体化してもよい。
○  上記実施形態の二次電池１０を車両（例えば産業車両や乗用車両など）に搭載し、車両に装備された発電機により充電する一方で、二次電池１０から供給する電力によりエアコン用のコンプレッサや、車輪を駆動するための電動モータ、或いはカーナビゲーションシステムなどの電装品を駆動してもよい。これによれば、二次電池１０の小型化や高容量化を図りつつ、使用中における振動などによって二次電池１０の性能が低下することを抑制し、二次電池１０の交換サイクルが短くなることを抑制できる。特に、二次電池１０から供給する電力により上記電動モータを駆動する場合、１の二次電池で走行可能な総走行距離が短くなってしまうことを好適に抑制できる。
【符号の説明】
【００５４】
Ｍ１…外側面（突起形成面）、Ｍ２…内側面（突起非形成面）、Ｍ３…前面（突起形成面）、Ｍ４…後面（突起非形成面）、１０…リチウムイオン二次電池（二次電池）、２１…電極体、２３…セパレータ、２４…正電極シート（正極シート）、２４ａ…金属箔（金属シート）、２５…負電極シート（負極シート）、２５ａ…金属箔（金属シート）、２６…活物質層、３０…孔部（貫通孔）、３１…壁部（突起部）、３１ａ…先端部。
【図１】
0005621762.tif 000002
【図２】
0005621762.tif 000003
【図３】
0005621762.tif 000004
【図４】
0005621762.tif 000005
【図５】
0005621762.tif 000006
【図６】
0005621762.tif 000007